(57)【要約】      （修正有）【課題】胴膨れ防止段ボール箱の製造時における抜きカスの発生を防止すると共に、梱包状態での隙間の発生を防止する。【解決手段】側板１及び端板２をそれぞれ対向させて角筒状の周壁を形成し、端板２及び側板１の上端からそれぞれ延びる内フラップ６及び外フラップ７を順次折り重ねて天面を閉止すると共に、内フラップ６及び外フラップ７の基部に、それぞれ端板２及び側板１との境界の折目線２ａ，１ａから間隔をおいて折目線６ａ，７ａを入れることにより面取り部８，９を形成し、段積み時の胴膨れを防止する段ボール箱において、前記内フラップ６の側端部には、面取り部８で基部側の角から斜め内側へ延びる斜折線１０と、面取り部８より先端側で側端縁から間隔をおいて入れた側折線１１とで区画される部分が、外フラップ７の折曲時に外フラップ７の基部に押圧されて折れ曲がるように、弱め加工を施す。【選択図】図５
2014234207.tif 000002
【特許請求の範囲】
【請求項１】
側板(1)及び端板(2)をそれぞれ対向させて角筒状の周壁を形成し、端板(2)及び側板(1)の上端からそれぞれ延びる内フラップ(6)及び外フラップ(7)を順次折り重ねて天面を閉止すると共に、内フラップ(6)及び外フラップ(7)の基部に、それぞれ端板(2)及び側板(1)との境界の折目線(2a,1a)から間隔をおいて折目線(6a,7a)を入れることにより、傾斜した面取り部(8,9)を形成し、段積み時の積上荷重による樽状の変形を防止する段ボール箱において、前記内フラップ(6)の側端部には、面取り部(8)で基部側の角から斜め内側へ延びる斜折線(10)と、面取り部(8)より先端側で側端縁から間隔をおいて入れた側折線(11)とで区画される部分が、外フラップ(7)の折曲時に外フラップ(7)の基部に押圧されて折れ曲がるように、弱め加工を施したことを特徴とする胴膨れ防止段ボール箱。
【請求項２】
前記弱め加工として、全切りの切目がミシン目状に断続する切目線(21,22,23)又は半切りの切目線を入れたことを特徴とする請求項１に記載の胴膨れ防止段ボール箱。
【請求項３】
前記弱め加工として、段ボールを線状に押し潰した押罫線(24,25,26)を入れたことを特徴とする請求項１に記載の胴膨れ防止段ボール箱。
【請求項４】
前記弱め加工として、内フラップの側端部の斜折線(10)と側折線(11)とで区画される部分に、段ボールの中芯を押し潰して段潰弱め部(27)を形成したことを特徴とする請求項１に記載の胴膨れ防止段ボール箱。
【発明の詳細な説明】
【技術分野】
【０００１】
この発明は、天面のフラップの基部に面取り部を形成した胴膨れ防止段ボール箱に関するものである。
【背景技術】
【０００２】
従来、液入ボトル等の商品を梱包する段ボール箱として、下記特許文献１には、図７に示すようなものが記載されている。
【０００３】
この段ボール箱は、側板５１及び端板５２をそれぞれ対向させて角筒状をなす周壁を形成し、端板５２の下端及び上端から延びる内フラップ５３と、側板５１の下端及び上端から延びる外フラップ５４とを順次折り重ねて底面及び天面を閉止するものである。
【０００４】
そして、底面及び天面の内フラップ５３及び外フラップ５４の基部に、それぞれ端板５２及び側板５１との境界の折目線５２ａ，５１ａと平行する折目線５３ａ，５４ａを入れて面取り部５６，５７を形成し、段積み時の積上荷重による樽状の変形を防止するように構成されている。
【先行技術文献】
【特許文献】
【０００５】
【特許文献１】特開２００９−２１４９２５号公報
【発明の概要】
【発明が解決しようとする課題】
【０００６】
しかしながら、上記のような段ボール箱では、商品梱包のための組立時に、内フラップ５３を折り曲げた後、外フラップ５４を折り曲げる際、外フラップ５４の基部が内フラップ５３の側端部に衝突し、外フラップ５４の折り曲げに支障が生じるおそれがある。
【０００７】
このような現象の回避策として、段ボール箱の製造時におけるブランクの打ち抜きに際し、内フラップ５３の側端部を切断しておくことが考えられるが、この場合、いわゆる抜きカスが発生し、その除去処置に手間がかかるほか、梱包状態において天面角部に隙間があき、流通過程で箱内に塵埃が侵入するおそれもある。
【０００８】
そこで、この発明は、胴膨れ防止段ボール箱の製造時における抜きカスの発生を防止すると共に、梱包状態での隙間の発生を防止することを課題とする。
【課題を解決するための手段】
【０００９】
上記課題を解決するため、この発明では、側板及び端板をそれぞれ対向させて角筒状の周壁を形成し、端板及び側板の上端からそれぞれ延びる内フラップ及び外フラップを順次折り重ねて天面を閉止すると共に、内フラップ及び外フラップの基部に、それぞれ端板及び側板との境界の折目線から間隔をおいて折目線を入れることにより、傾斜した面取り部を形成し、段積み時の積上荷重による樽状の変形を防止する段ボール箱において、前記内フラップの側端部には、面取り部で基部側の角から斜め内側へ延びる斜折線と、面取り部より先端側で側端縁から間隔をおいて入れた側折線とで区画される部分が、外フラップの折曲時に外フラップの基部に押圧されて折れ曲がるように、弱め加工を施したのである。
【００１０】
また、前記弱め加工として、全切りの切目がミシン目状に断続する切目線若しくは半切りの切目線を入れ、又は段ボールを線状に押し潰した押罫線を入れたのである。
【００１１】
また、前記弱め加工として、内フラップの側端部の斜折線と側折線とで区画される部分に、段ボールの中芯を押し潰して段潰弱め部を形成したのである。
【発明の効果】
【００１２】
この発明に係る段ボール箱では、梱包過程において、内フラップを折り曲げた後、外フラップを折り曲げる際、弱め加工を施した内フラップの側端部が外フラップの基部に押圧されて折れ曲がるので、外フラップを支障なく折り曲げて封緘することができる。
【００１３】
また、製造時におけるブランクの打ち抜きに際し、内フラップの側端部を切断しておく必要がないので、抜きカスが発生することがなく、抜きカス除去の手間を軽減でき、梱包状態で天面角部に隙間があくこともないので、箱内への塵埃の侵入を防止できる。
【００１４】
そして、流通過程で段積みされ、大きな積上荷重が作用しても、面取り部の傾斜角度の変化により、変形が吸収されるので、樽状となる胴膨れが防止される。
【図面の簡単な説明】
【００１５】
【図１】この発明の実施形態に係る胴膨れ防止段ボール箱のブランクを示す図
【図２】同上の梱包過程における商品挿入時の状態を示す斜視図
【図３】同上の内フラップの折曲状態を示す斜視図
【図４】同上の外フラップの折曲過程を示す部分拡大斜視図
【図５】同上の梱包状態を示す斜視図
【図６】同上の弱め加工として（ａ）押罫線を施し、又は（ｂ）段潰しを施した例を示すブランクの一部拡大図
【図７】従来の胴膨れ防止段ボール箱の梱包状態を示す斜視図
【発明を実施するための形態】
【００１６】
以下、この発明の実施形態を添付図面に基づいて説明する。
【００１７】
この段ボール箱は、図１に示す段ボール製のブランクから組み立てられる。このブランクでは、周壁の長面をなす側板１及び幅面をなす端板２が各一対交互に連設され、一方の側板１の外側端に継代片３が連設されている。端板２及び側板１の下端には、それぞれ内フラップ４及び外フラップ５が連設され、端板２及び側板１の下端には、それぞれ内フラップ６及び外フラップ７が連設されている。これらの境界をなす折目線は、段ボールを裏面側から線状に押し潰した押罫線とされている。
【００１８】
上方の内フラップ６及び外フラップ７の基部には、それぞれ端板２及び側板１との境界の折目線２ａ，１ａと平行する折目線６ａ，７ａが入れられ、折目線６ａ，７ａもまた、段ボールを裏面側から線状に押し潰した押罫線とされている。折目線２ａ，６ａ間の部分及び折目線１ａ，７ａ間の部分は、それぞれ面取り部８，９となる部分である。
【００１９】
上方の内フラップ６の両側端部には、面取り部８において、基部側の角から斜め内側へ向かって折目線６ａまで延びる仮想的な斜折線１０上に切目線２１が入れられている。また、面取り部８より先端側において、斜折線１０と折目線６ａの交差部から側端縁に平行する仮想的な側折線１１上に切目線２２が入れられ、切目線１１と側端縁との間に、これらに平行する切目線２３が入れられている。そして、斜折線１０と側折線１１とで区画された切目線２１，２２，２３を有する部分が弱め加工を施した部分となっている。
【００２０】
なお、切目線２１，２２，２３は、切目が段ボールの表裏に貫通する全切りとされ、このうち切目線２２，２３は、切目がミシン目状に断続するものとされている。
【００２１】
また、内フラップ４，６には、基部を除いて、段ボールの波状の中芯を押し潰す段潰し加工が施されている（図１の斜線部）。これは、商品を梱包した際、内フラップ４，６と外フラップ５，７とが重ならない部分において、外フラップ５，７と商品との間に生じる隙間を極力抑制するためである。
【００２２】
このようなブランクを組み立てて、商品である洗口液入りのボトルを梱包する際には、図２に示すように、各一対の側板１及び端板２を四角筒状の周壁を形成するように折り曲げ、下方の内フラップ４及び外フラップ５を順次折り重ね、接着剤又はテープで内フラップ４と外フラップ５とを固定して底面を閉止した状態で、天面の開口部から箱内に所定本数のボトルＢを挿入する。
【００２３】
次に、図３に示すように、上方の内フラップ６を内側へ折り曲げると、内フラップ６の面取り部８がボトルＢの頭部に沿って折目線２ａ側から折目線６ａ側へかけて次第に高くなるように傾斜し、面取り部８より先端側の部分がボトルＢの頭部に載って、水平に支持された状態となる。
【００２４】
続いて、図４に示すように、外フラップ７を内側へ折り曲げると、内フラップ６の側端部が外フラップ７の基部に押圧され、切目線２１，２２，２３を軸にボトルＢの頭部に沿って下方へ折れ曲がり、内フラップ６の側端と外フラップ７との衝突が回避される。
【００２５】
そして、図５に示すように、外フラップ７をさらに折り曲げると、外フラップ７が折目線７ａを軸に屈曲しつつ、内フラップ６の上面に重なり、面取り部９が折目線１ａ側から折目線７ａ側へかけて次第に高くなるように傾斜すると共に、面取り部９より先端側の部分がボトルＢの頭部により水平に支持された状態となり、接着剤又はテープで内フラップ６と外フラップ７とを固定すると、天面が閉止されて封緘が完了する。
【００２６】
このように、上記のような段ボール箱では、梱包過程において、天面を閉止するため、内フラップ６を折り曲げた後、外フラップ７を折り曲げる際、切目線２１，２２，２３を入れて弱め加工を施した内フラップ６の側端部が外フラップ７の基部に押圧されて折れ曲がるので、外フラップ７を支障なく折り曲げて封緘することができる。
【００２７】
また、製造時におけるブランクの打ち抜きに際し、内フラップ６の側端部を切断しておく必要がないので、抜きカスが発生することがなく、抜きカス除去の手間を軽減でき、梱包状態で天面角部に隙間があくこともないので、箱内への塵埃の侵入を防止できる。
【００２８】
そして、流通過程で段積みされ、大きな積上荷重が作用しても、面取り部８，９の傾斜角度の変化により、変形が吸収されるので、樽状となる胴膨れが防止される。
【００２９】
なお、上記実施形態では、内フラップ６の側端部に施す弱め加工として、切目線２１，２２，２３を入れ、その切目を全切りとし、切目線２２，２３の切目をミシン目状に断続させたものを例示したが、これらに代えて、図６（ａ）に示すように、段ボールを裏面から線状に押し潰した押罫線２４，２５，２６を入れてもよく、段ボールを厚さ方向の半分程度切り込んだ半切線を入れてもよい。
【００３０】
そのほか、これらに代える弱め加工として、図６（ｂ）に示すように、内フラップ６の側端部の斜折線１０と側折線１１とで区画される部分において、段ボールの波状の中芯を押し潰す段潰し加工を施し、段潰弱め部２７を形成してもよい。この例において、内フラップ６に商品との隙間調整用の段潰し加工（図１の斜線部参照）を施す場合には、段潰弱め部２７の段潰し加工を、隙間調整用の段潰し加工よりも強く施すとよい。
【００３１】
また、弱め加工部分を区画する斜折線１０と側折線１１とがそれぞれ直線となったものを例示したが、その一方又は両方が曲線となっていてもよい。
【００３２】
また、内フラップ６の先端側の角部が直角となったものを例示したが、ケーサーでの封緘性を考慮して、内フラップ６の先端側の角部を斜めに直線的に切断したり、膨出弧状に切断したりしてもよい。
【００３３】
また、上記実施形態では、段ボール箱の上部にのみ面取り部８，９を設けたものを例示したが、段ボール箱の下部にも面取り部を設ける場合には、下方の内フラップ４の側端部にも、上記のような弱め加工を施しておくとよい。
【００３４】
さらに、上記実施形態では、底面及び天面ともに内フラップ４，６及び外フラップ５，７を折り重ねて閉止する溝切型の段ボール箱について例示したが、底面側については、対角から斜めに折目線を入れると共に、隣り合う底板の一部分を貼り合わせておき、折畳状態から迅速に組み立てられるようにしたワンタッチ底と呼ばれる構造や、各一対の側板１及び端板２から延びる底板の端縁に凹凸や斜辺を形成し、底板同士を簡単に噛み合わせられるようにしたセミワンタッチ底と呼ばれる構造としてもよい。また、底面が開口した蓋部分とトレイとから成る２ピースの段ボール箱において、蓋部分の天面に上記構成を適用してもよい。
【００３５】
また、折目線１ａと折目線７ａ及び折目線２ａと折目線６ａがそれぞれ平行するものを例示したが、折目線１ａ，２ａ及び折目線７ａ，６ａは、そのいずれか又はいずれかの組み合わせがＶ字状に屈曲したり、緩やかに湾曲していてもよい。
【符号の説明】
【００３６】
１  側板
２  端板
３  継代片
４，６  内フラップ
５，７  外フラップ
１ａ，２ａ，６ａ，７ａ  折目線
８，９  面取り部
１０  斜折線
１１  側折線
２１，２２，２３  切目線
２４，２５，２６  押罫線
２７  段潰弱め部
Ｂ  ボトル
【図１】
2014234207.tif 000003
【図２】
2014234207.tif 000004
【図３】
2014234207.tif 000005
【図４】
2014234207.tif 000006
【図５】
2014234207.tif 000007
【図６】
2014234207.tif 000008
【図７】
2014234207.tif 000009